(57)【特許請求の範囲】
【請求項１】
筆記具のペン先や空気孔からインクの蒸発を防止するために筆記具先部に装着される筆記具のキャップにおいて、当該キャップは、後端閉塞状でキャップと一体に形成すると共にその閉塞状の後端と反対側に段部を設けた内筒と、非吸液性で弾性を有した材料からなり鍔部を設けたカップ状のシール筒と、ペン先の挿入側開口部の内径がキャップ内径に近く外径がほぼキャップ内径と同じか圧入になる寸法で内径が先方に行くに従い小さくなり更に先端近傍の内壁に外側に向かって複数の開口部が形成された案内筒とからなり、キャップ内周と内筒外周との間に通気孔が設けられ、内筒の段部にシール筒の鍔部を係止して、シール筒はペン先を圧接する状態で配設され、更に案内筒をキャップの開口部から挿入し内筒の開口端部に案内筒の先端を略当接した状態でキャップ内孔部に配設することでシール筒の鍔部が内筒の段部と案内筒とに挟まれ、前記案内筒の開口部とキャップ内周と内筒外周との間に形成された通気孔とが連通されて、キャップの挿入側から後端に至って空気が通気するようにしたことを特徴とする筆記具のキャップ。
【発明の詳細な説明】
【０００１】
【産業上の利用分野】
本発明は筆記具のキャップを誤って飲み込み、気管に詰まった場合でも呼吸可能の空気の通気路を設けた筆記具のキャップに関する。
【０００２】
【従来の技術】
従来の筆記具のキャップ、特にキャップ全長が比較的短く且つ中キャップにてペン先及び空気孔を密封するキャップは通気孔を設けるため中キャップとキャップ内壁との間に隙間または複数の穴を設け通気出来るようにしていた。
【０００３】
【発明が解決しようとする課題】
前記、従来の筆記具のキャップは、キャップを被着する際、キャップが短いため往々にしてペン先をキャップに対し斜めに入れる事があり、この場合ペン先を中キャップとキャップ内壁との間の通気を目的にした隙間または複数の穴に差し、ペン先を引っかけてペン先を損傷する問題があった。本発明の目的はかかる弊害を解決したキャップを提供可能とする事にある。
【０００４】
【課題を解決するための手段】
前記目的を達成するために案出された本発明の筆記具のキャップは、シール筒の手前に、開口部の内径がキャップ内径に近く外径がほぼキャップ内径と同じか圧入になる寸法で、内径が奥に行くに従い小さくなり、更に奥の内壁が外側に向かって複数の開口部を形成した案内筒を装着し、キャップを被着する際ペン先が引っかからないようにし、且つ通気も可能にする事で上記問題点を解消するものである。
【０００５】
【実施例】
図１から図４は本発明の一実施例を示したもので以下図面に基づき詳説する。
キャップ１は開口縁近傍内面に軸筒２の凸部３と係合するための係合突起４が形成され軸筒２の凸部３に系合すると共にキャップ１の開口端部が軸筒２の段部５に当接し軸筒２に対し定位置に被着されるようになっている。
【０００６】
更にキャップ１内には、キャップ内壁に形成された複数のリブ６に一体に支持された段付きの内筒７が形成され、その内筒７にシール筒が挿入されており、そのシール筒は非吸水性で弾性に富むゴム等で出来た厚肉の円形の鍔部９と薄肉のカップ状部でその底部はアール曲面状の曲面（ボールペンの場合ボール径の曲率半径以上より３倍以下が望ましい）よりなる。そしてシール筒８は鍔部９を内筒７の段部１０に係止させ、その上に案内筒１１をキャップ１の開口部から挿入し内筒７の開口端部１２に案内筒１１の外リブ１３を当接させシール筒８の鍔部９を内筒７の段部１０と案内筒１１の外リブ１３で挟み固定されている。そして案内筒１１はキャップ内面に設けられた膨出部１４に案内筒１１の開口端部を引っかけキャップ１に固定するか、又はキャップ１に圧入嵌合して固定されている。
【０００７】
上記案内筒１１は開口部の内径がキャップ１の内径に近く、外径はほぼキャップ１の内径と同じか圧入になる寸法になっており、奥に行くに従い内径は小さくなり、更に奥は複数の外リブ１３となり外リブ１３と外リブ１３の間が半径方向で外方に開口し、キャップ開口部とその反対側の天井部１５は案内筒１１の中からその複数の外リブ１３の間を通り、更に内筒７とキャップ１の本体を繋ぐ複数のリブ６の間を通り通気している。尚このリブは案内筒１１の内壁の外側に回り込みその外リブ１３の外径はほぼキャップ１の内径の寸法に形成され、案内筒１１の軸心がキャップ１の軸心に対し傾かないようにしてある。
【０００８】
ところで軸筒２は先部が案内筒１１にほぼ倣う形で先に行くに従い細くなっておりその先にはペン先支持１６が装着され、そのペン先支持１６と軸筒２の先端細径部１７の間に軸筒２の内部に連なる空気口１８が形成され、ペン先支持１６にはボールペン等のペン先２１が装着されている。そして軸筒２をキャップ１に被着するとまずペン先２１の先端がシール筒８の底部に当接しペン先２１のインク流出部を密封し、その後、更に軸筒が押し込まれ被着が完了すると軸筒２の先端細径部１７の端面１９がシール筒の端面１９に当接密着し空気口１８が閉塞する。
【０００９】
【作用】
以上の如く構成された筆記具に於て、軸筒２にキャップ１を装着する際、ペン先２１を挿入し始めるとき軸筒２の軸心がキャップ１の軸心と傾いていてもペン先２１の先端は案内筒１１の内壁に案内されペン先２１を損傷する事がなく挿入され、更に奥に入りペン先２１の先端がシール筒８の開口部付近に来る時は、軸筒２の先部の外形形状が案内筒１１の内壁の形状に倣っているため自動的にペン先２１はキャップ１の軸心にほぼ一致しシール筒８の端面２０に当接する事なくシール筒８の底部の中心に当接するようになり、更に軸筒２の先部がキャップ１の奥に押し込まれると、まずペン先２１の先端がシール筒８の底部に当接しペン先１８のインク流出部を密封し、その後更に軸筒２が押し込まれ被着が完了すると軸筒２の先端細径部１７の端面１９がシール筒８の端面２０に当接密着し空気口１８が閉塞し軸筒２の先部からのインクの蒸発が防止されると共に、誤って飲み込まれた場合には、キャップ１のペン先の挿入側開口部とその反対側の天井部１５は案内筒１１の中央を通り、その案内筒１１の奥は複数の外リブ１３の間を通り、更に内筒７とキャップ１本体を繋ぐ複数のリブ６の間を通り通気する事によって呼吸障害を回避するようにしたものである。
【００１０】
【発明の効果】
本発明の構成及び作用は以上の通りであり、キャップを軸筒に被着した場合、ペン先先端を損傷する事もなく、シール筒により空気口とペン先は密閉され、キャップのみを誤って飲み込んだ場合でも、案内筒のリブの間の隙間とキャップのリブの間の隙間とで、キャップ開口部と天井部は通気しているので空気の流通を阻害されないので窒息状態にならず呼吸をする効果がある。
【図面の簡単な説明】
【図１】本発明の筆記具の縦断面図である。
【図２】図１の軸を外したキャップの断面図である。
【図３】キャップに装着されている案内筒の断面図である。
【図４】図３の案内筒のＡ矢視図である。
【図５】従来の筆記具の断面図である。
【符号の説明】
１  キャップ
２  軸筒
３  凸部
４  系合突起
５  段部
６  リブ
７  内筒
８  シール筒
９  鍔部
１０  段部
１１  案内筒
１２  開口端部
１３  外リブ
１４  膨出部
１５  天井部
１６  ペン先支持
１７  先端細径部
１８  空気口
１９  端面
２０  端面
２１  ペン先
２２  軸筒
２３  キャップ
２４  内筒
２５  系合突起
２６  溝
２７  シール部
２８  ペン先
２９  通気路
３０  通気孔
【図１】
0003786496.tif 000002
【図２】
0003786496.tif 000003
【図３】
0003786496.tif 000004
【図４】
0003786496.tif 000005
【図５】
0003786496.tif 000006